(57)【要約】【課題】メータ端末の検針を効率良く行うこと。【解決手段】検針装置２を動作させると、ＧＰＳ衛生１。ＧＰＳアンテナ手段２及びＧＰＳ受信解析手段４を介して検出した検針員の位置が確定し、さらに予め入力されてあった顧客宅位置データ記憶手段５により各メータ装置９ａから９ｊの位置が確定する。そしてこれらの位置を示すデータと、検針距離設定手段６のデータとにより、検針箇所選択手段７が検針可能なメータ装置を選択し、その後無線検針手段８によりこれらのメータ装置の検針を行う。これによって、検針できないと判断されるメータ装置の検針を自動的に行わないようにするため、無駄が省け、検針の効率を向上させることが可能となる。【選択図】　図１
2004117169.tif 000002
【特許請求の範囲】
【請求項１】
ＧＰＳ衛星からの電波を受信するＧＰＳアンテナ手段と、前記ＧＰＳアンテナ手段で受信した信号から位置信号を解析するＧＰＳ受信解析手段と、住宅などに設置された複数のメータ装置と、前記メータ装置を設置した場所の位置データを記憶する顧客宅位置データ記憶手段と、前記メータ装置と無線データ通信を行う無線検針手段と、検針範囲を設定する検針距離設定手段と、前記ＧＰＳ受信解析手段からのデータと、前記顧客宅位置データ記憶手段のデータ及び前記各データを表示する表示手段と前記検針距離設定手段に設定されたデータとから検針の対象となるメータ装置を選択する検針箇所選択手段とを備えた検針装置。
【請求項２】
顧客宅位置データ記憶手段へＧＰＳ受信解析手段からの位置データを入力する顧客宅位置データ入力手段を備えた請求項１記載の検針装置。
【請求項３】
無線による検針の成否により、検針距離設定手段の設定値を設定する検針距離自動設定手段を備えた請求項１または２記載の検針装置。
【請求項４】
顧客宅位置データの中から、特定の期間に検針する予定の顧客宅を記憶する検針予定顧客宅記憶手段を設け、前記検針予定顧客宅記憶手段のデータから前記顧客宅位置データを特定する請求項１記載の検針装置。
【請求項５】
ＧＰＳ受信解析手段からのデータにより地図とのマッピングを行う地図マッピング手段と表示手段を設け、表示手段は前記地図マッピング手段からの信号により地図表示を行う請求項１記載の検針装置。
【請求項６】
地図データ入力手段を設け、地図マッピング手段への地図データを外部から入力可能にした請求項５記載の検針装置。
【請求項７】
地図マッピング手段は検針箇所選択手段で選択された検針箇所を表示手段に表示する請求項５または６記載の検針装置。
【請求項８】
無線検針手段による検針結果を判定する検針成否判定手段を設け、表示手段にその内容を表示する請求項５記載の検針装置。
【請求項９】
次回の最適な検針位置を案内する次回検針位置算出手段を備えると共に、表示手段に次回検針位置を表示するようにした請求項５記載の検針装置。
【請求項１０】
次に検針を行う検針位置へ移動する移動速度入力手段を備え、移動速度を基に全体の検針時間を算出する検針時間算出手段を備えた請求項５記載の検針装置。
【発明の詳細な説明】
【０００１】
【発明の属する技術分野】
本発明は無線を介して複数のメータ端末などの検針を行う検針装置に関するものである。
【０００２】
【従来の技術】
図１６に従来の検針装置２のブロック図を示す。図において２は検針装置であり無線を使用して各住宅に設置された複数のメータ装置９ａ、９ｂ、９ｃとデータ通信を行う無線検針手段８と、検針するメータ装置を手動入力などにより指定する検針箇所選択手段７と、検針箇所の表示などを行う表示手段１４から構成される。検針を行う検針員は検針装置２を検針する住宅の近くに持って行き、検針箇所選択手段７にメータ装置が取り付けられている住宅の住所、氏名やそれぞれのメータ装置に設定してある認識番号などを入力することにより、該当のメータ装置の検針を特定小電力無線などを使用した無線検針手段８から認識番号を付加した電文を使用して特定のメータ装置が応答するように構成されている。
【０００３】
【発明が解決しようとする課題】
しかしながら、従来の検針装置では検針対象のメータ装置は設置されている住所、氏名などにより登録しているため、検針員は住宅の住所を頼りに検針位置を探さなければならない他、複数のメータ装置の検針を効率良く検針することが困難であるという課題がある。本発明はこのような従来の課題を解決するものであり、複数のメータ装置の検針を効率よく行える検針装置を提供することを目的とする。
【０００４】
【課題を解決するための手段】
上記課題を解決するために本発明は、メータ装置の位置を把握するＧＰＳ受信解析手段と、検針範囲を指定する検針距離設定手段とから検針の対象となるメータ装置を選択する検針箇所選択手段を備えたものであり、本発明によれば検針箇所検出手段により効率的な検針が行える検針箇所を把握することが可能となる。
【０００５】
【発明の実施の形態】
上記の課題を解決するために、地球測位システムであるＧＰＳ（Ｇｌｏｂａｌ　Ｐｏｓｉｔｉｏｎｉｎｇ　Ｓｙｓｔｅｍ）の衛星から送られてくる電波を受信するＧＰＳアンテナ手段と、ＧＰＳアンテナ手段で受信した信号から位置信号を解析するＧＰＳ受信解析手段と、住宅などに設置された複数のメータ装置と、メータ装置を設置した場所の位置データを記憶する顧客宅位置データ記憶手段と、メータ装置と無線データ通信を行うための無線検針手段と、検針範囲を設定する検針距離設定手段と、ＧＰＳ受信解析手段からのデータと顧客宅位置データと検針距離設定手段に設定されたデータとから前記メータ装置から検針の対象となるメータ装置を選択する検針箇所選択手段を備えることにより複数のメータ装置の検針を効率良く行うことが可能となる。
【０００６】
また、顧客宅位置データ記憶手段へはＧＰＳ受信解析手段からの位置データを基に入力する顧客宅位置データ入力手段を備えることにより、顧客宅のメータ装置の位置を正確に且つ容易にデータベース化することが可能となる。
【０００７】
また、無線による検針の成否により、検針距離設定手段の設定値を自動的に設定する検針距離自動設定手段を備えることにより、検針の成功率が上がり、検針効率を向上させることが可能となる。
【０００８】
また、顧客宅位置データの中から、特定の期間に検針する予定の顧客宅を記憶する検針予定顧客宅記憶手段を設け、検針予定顧客宅記憶手段のデータから顧客宅位置データを特定するようにすることにより、検針予定箇所のメータ装置の位置のみを検針対象とするため検針効率を向上させることが可能となる。
【０００９】
また、ＧＰＳ受信解析手段からのデータにより地図とのマッピングを行う地図マッピング手段と、地図表示を行う表示手段を備えることにより、検針する地域を地図上で確認することができ、検針場所の状況を把握することが可能となる。
【００１０】
また、地図データ入力手段を設け、地図マッピング手段への地図データを外部から入力可能に構成することにより、検針に必要な場所の地図のみを記憶することができ、検針装置のシステムの規模を小さくすることが可能となる。
【００１１】
また、地図マッピング手段は検針箇所選択手段で選択された検針箇所を表示手段に表示することにより、検針メータ装置の位置を地図上で確認することが可能となり、検針箇所を迅速に把握することが可能となる。
【００１２】
また、無線検針手段による検針結果を判定する検針成否判定手段を設け、表示手段にその内容を表示するようにすることにより、地図上で検針成否の箇所を確認することができ、再検針を効率良く行うことが可能となる。
【００１３】
また、次回の最適な検針位置を案内する次回検針位置算出手段を備えると共に、表示手段に次回検針位置を表示するように構成することにより、次に検針を行う場所が把握できるため、効率の良い検針場所に迅速に移動することが可能になる。
【００１４】
更に、検針位置への移動速度入力手段を備え、移動速度を基に検針時間を算出する検針時間算出手段を備えることにより、対象となるメータ装置の検針を全て行うための所用時間が把握できるため、効率的な検針計画を立てることが可能となる。
【００１５】
【実施例】
以下、本発明の実施例を図面に基づいて説明する。
【００１６】
（実施例１）
図１において、２は検針装置であり、無線を使用して各住宅に設置された複数のメータ装置９ａ、９ｂ、９ｃとデータ通信を行う無線検針手段８と、ＧＰＳ衛星１からの電波を受信するＧＰＳアンテナ手段３と、ＧＰＳアンテナ手段１からの信号によって位置データを求めるＧＰＳ受信解析手段４と、メータ装置の設置位置データを記憶する顧客宅位置データ記憶手段５と、無線検針手段８で無線通信可能な距離を設定する検針距離設定手段６と、前記ＧＰＳ受信解析手段４の位置データと顧客宅位置データ記憶手段５と検針距離設定手段６により設定された通信距離により、検針装置２本体から検針可能なメータ装置を選択する検針箇所選択手段７から構成されている。
【００１７】
次に図２を用いて検針装置２の動作について説明する。図２はメータ装置が設置された地域を表す図である。道路１０に添って９ａから９ｊはメータ装置が設置された住宅が並んでいる。検針員が○２１のポイントに立って検針装置２を動作させると、ＧＰＳ受信解析手段４から検出した検針員の位置と、予め入力されてあった顧客宅位置データ記憶手段５の各メータ装置９ａから９ｊの位置データと、検針距離設定手段のデータにより、検針箇所選択手段７が図２に示すように検針可能な９ａから９ｅのメータ装置を選択し、無線検針手段８によりこれらのメータ装置の検針を行う。一方、検針箇所選択手段７で選択されなかったメータ装置９ｆから９ｊは検針の対象から外されることになる。従って、検針できないと判断されるメータ装置の検針を自動的に行わないようにするため、無駄が省け検針の効率を向上させることが可能となる。
【００１８】
（実施例２）
図３は顧客宅位置データ入力手段を設け、顧客宅位置データ記憶手段５へＧＰＳ受信解析手段４で検出されたメータ装置の位置データ入力可能にしたものである。従って、各住宅に設置されたメータ装置の位置に検針装置２を置いた状態で顧客宅位置データ入力手段１１を動作させると、ＧＰＳ受信解析手段４で検出した現在の位置データを顧客宅位置データ記憶手段５に記憶することが可能となり、正確且つ簡単にデータ設定が可能になる。
【００１９】
（実施例３）
図４は検針距離自動設定手段１２、検針成否判定手段１７を設け、検針距離設定手段６に設定された検針距離と、無線検針手段８で検針した検針の成功率を検針成否判定手段で算出し、この成功率により検針距離を変えるように構成したものである。検針距離自動設定手段１２は無線手段８による検針の成功率が高ければ検針範囲を広げられると判断し、検針箇所選択手段７に入力する検針距離データの値を大きくし、検針の成功率が悪ければ検針範囲が広すぎると判断し、検針箇所選択手段７に入力する検針距離データの値を小さくするように設定するように動作する。
【００２０】
（実施例４）
図５は検針予定顧客宅記憶手段１３を設け、ある１日などの特定の期間に検針する予定宅を記憶させておき、検針時に顧客宅位置データ記憶手段５の中から検針予定顧客宅記憶手段１３に登録されたメータ装置の位置データとＧＰＳ受信解析手段５の検出データと検針距離設定手段６に設定されたデータにより検針箇所選択手段７が検針箇所を選択するように構成されている。
【００２１】
（実施例５）
図６は地図マッピング手段１４を設け、ＧＰＳ受信検出手段４で検出した位置データの周辺地図を表示手段１５に表示するように構成したものである。地図マッピング手段にはＣＤ−ＲＯＭなどの地図媒体を備えており、図２で示すような地図情報が表示される。
【００２２】
（実施例６）
図７は地図マッピング手段１４への地図データを入力する地図データ入力手段１６を設け、検針を行う地域のみのデータを地図マッピング手段１４の半導体メモリーに記憶させるように構成している。従って、地図マッピング手段１４にＣＤ−ＲＯＭ等の媒体を使用せずに半導体メモリーが使用でき検針装置２のシステムを簡略化できる。尚、地図データ入力手段１６は外部に準備された地図データを有線や無線のインタフェースを介して入力することが可能である。
【００２３】
（実施例７）
図８は検針箇所選択手段７で選択されたメータ装置の位置を地図マッピング手段１４の地図に当てはめ表示手段１５にその位置を表示するように構成したものである。図９に表示手段１５の表示例を示すが、検針可能な範囲のメータ装置９ａから９ｅのみが表示される。また、本表示例では検針箇所選択手段７で選択されていないメータ装置は表示していないが、全てのメータ装置を表示して選択された箇所の色を変えて表示することも可能である。
【００２４】
（実施例８）
図１０は検針成否判定手段１７を設け、検針箇所選択手段７により検針動作を行った結果を検針成否判定手段１７で判断し、その内容のメータ装置の場所を地図マッピング手段１４に指定し、表示手段１５に検針の成否を表示するように構成したものである。図１１は表示手段１５の表示例をしめすものであり、検針が失敗したメータ装置９ｃを×で表示している。
【００２５】
（実施例９）
図１２は次回検針位置算出手段１８を設け、一旦検針が終了した後に、この次回検針位置算出手段１８を動作させると、検針装置２の現在の位置をＧＰＳ受信解析手段４で把握し、顧客宅位置データ記憶手段５と検針距離設定手段６のデータにより、未検針のメータ装置の位置から次回検針に最適な位置を算出し、その位置を表示手段１５に表示するよう構成してある。図１３に表示手段１５の表示例を示す。次回検出位置算出手段１８が動作することによって、表示手段１５には図１３に示すように○２１の箇所が指示される。従って、検針員はこの場所に地図を見ながら迅速に移動でき、次の検針を効率よく行うことが可能となる。
【００２６】
（実施例１０）
図１４は検針員の移動速度を設定する移動速度入力手段１９と顧客宅位置データ記憶手段５に登録されているメータ装置を全て検針するために必要な時間を算出する検針時間算出手段２０を備えている。検針時間算出手段２０は顧客宅位置データ記憶手段５の内容と検針距離設定手段６の内容により検針回数を算出し、移動速度入力手段１９のデータから検針員の検針場所への移動時間を算出し、全体の検針に要する時間を算出する。図１５は表示手段１５の表示例であり、検針時間などを表示１５ａすることが可能である。また、検針時間の表示１５ａは検針の途中での残り時間表示を行うことも可能である。
【００２７】
【発明の効果】
このように本発明によれば、検針の対象となるメータ装置を選択する検針箇所選択手段により、検針可能なメータ装置を自動的に選択できるため、複数のメータ装置の検針を効率良く行うことが可能となる。
【００２８】
また、顧客宅位置データ記憶手段へはＧＰＳ受信解析手段からの位置データを基に入力する顧客宅位置データ入力手段を備えることにより、顧客宅のメータ装置の位置を正確に且つ容易にデータベース化することが可能となる。
【００２９】
また、無線による検針の成否により、前記検針距離設定手段の設定値を自動的に設定する検針距離自動設定手段を備えることにより、検針の成功率を上がり検針効率を向上させることが可能となる。
【００３０】
また、顧客宅位置データの中から、特定の期間に検針する予定の顧客宅を記憶する検針予定顧客宅記憶手段を設け、検針予定顧客宅記憶手段のデータから顧客宅位置データを特定するようにすることにより、検針予定箇所のメータ装置の位置のみを検針対象とするため検針効率を向上させることが可能となる。
【００３１】
また、ＧＰＳ受信解析手段からのデータにより地図とのマッピングを行う地図マッピング手段と、地図表示を行う表示手段を備えることにより、検針する地域を地図上で確認することができ、検針場所の状況を把握することが可能となる。
【００３２】
また、地図データ入力手段を設け、地図マッピング手段への地図データを外部から入力可能に構成することにより、検針に必要な場所の地図のみを記憶することができ、検針装置のシステムの規模を小さくすることが可能となる。
【００３３】
また、地図マッピング手段は検針箇所選択手段で選択された検針箇所を表示手段に表示することにより、検針メータ装置の位置を地図上で確認することが可能となり、検針箇所を迅速に把握することが可能となる。
【００３４】
また、無線検針手段による検針結果を判定する検針成否判定手段を設け、表示手段にその内容を表示するようにすることにより、地図上で検針成否の箇所を確認することができ、再検針を効率良く行うことが可能となる。
【００３５】
また、次回の最適な検針位置を案内する次回検針位置算出手段を備えると共に、表示手段に次回検針位置を表示するように構成することにより、次に検針を行う場所が把握できるため、効率の良い検針場所に迅速に移動することが可能になる。
【００３６】
更に、検針位置への移動速度入力手段を備え、移動速度を基に検針時間を算出する検針時間算出手段を備えることにより、対象となるメータ装置の検針を全て行うための所用時間が把握できるため、効率的な検針計画を立てることが可能となる。
【図面の簡単な説明】
【図１】本発明の実施例１の検針装置を示す要部ブロック図
【図２】同検針装置の検針対象を概念的に示した図
【図３】本発明の実施例２の検針装置を示す要部ブロック図
【図４】本発明の実施例３の検針装置を示す要部ブロック図
【図５】本発明の実施例４の検針装置を示す要部ブロック図
【図６】本発明の実施例５の検針装置を示す要部ブロック図
【図７】本発明の実施例６の検針装置を示す要部ブロック図
【図８】本発明の実施例７の検針装置を示す要部ブロック図
【図９】同検針装置の表示手段に表示される例を示した図
【図１０】本発明の実施例８の検針装置を示す要部ブロック図
【図１１】同検針装置の表示手段に表示される例を示した図
【図１２】本発明の実施例９の検針装置を示す要部ブロック図
【図１３】同検針装置の表示手段に表示される例を示した図
【図１４】本発明の実施例１０の検針装置を示す要部ブロック図
【図１５】同検針装置の表示手段に表示される例を示した図
【図１６】従来の検針装置の要部ブロック図
【符号の説明】
１　ＧＰＳ衛星
２　検針装置
３　ＧＰＳアンテナ手段
４　ＧＰＳ受信解析手段
５　顧客宅位置データ記憶手段
６　検針距離設定手段
７　検針箇所選択手段
８　無線検針手段
９　メータ装置
１１　顧客宅位置データ入力手段
１２　検針距離自動設定手段
１３　検針予定顧客宅記憶手段
１４　地図マッピング手段
１５　表示手段
１６　地図データ入力手段
１７　検針成否判定手段
１８　次回検針位置算出手段
１９　移動速度入力手段
２０　検針時間算出手段
【図１】
2004117169.tif 000003
【図２】
2004117169.tif 000004
【図３】
2004117169.tif 000005
【図４】
2004117169.tif 000006
【図５】
2004117169.tif 000007
【図６】
2004117169.tif 000008
【図７】
2004117169.tif 000009
【図８】
2004117169.tif 000010
【図９】
2004117169.tif 000011
【図１０】
2004117169.tif 000012
【図１１】
2004117169.tif 000013
【図１２】
2004117169.tif 000014
【図１３】
2004117169.tif 000015
【図１４】
2004117169.tif 000016
【図１５】
2004117169.tif 000017
【図１６】
2004117169.tif 000018